(57)【特許請求の範囲】
【請求項１】
物品を連続的に搬送する搬送コンベヤと、該搬送コンベヤの搬送路と平行に配設された少なくとも２組の循環走行機構と、それらの各循環走行機構に設けられ、前記搬送コンベヤにより搬送される物品の前面に係合して該物品を各々の循環走行機構の走行速度に規制する複数個の係合部材と、前記各循環走行機構をそれぞれ独立して駆動する速度制御可能な駆動手段と、前記係合部材により規制された物品を取出し位置において取出す取出し手段とを備え、各々の循環走行機構を駆動する前記駆動手段の速度制御を介して、一方の循環走行機構に設けられた前記係合部材により、他方の循環走行機構に設けられた係合部材が物品に係合するまでは、前記物品の搬送速度を前記搬送コンベヤの搬送速度以下の第１規制速度に規制し、他方の係合部材が物品に係合した後は、前記第１規制速度より速く、かつ前記搬送コンベヤの搬送速度以下の第２規制速度にて下流側の取出し位置まで規制するとともに、その取出し位置において所定時間停止させ、その間に前記取出し手段を介して物品を搬送コンベヤから取出すことを特徴とする物品取出し方法。
【請求項２】
物品を連続的に搬送する搬送コンベヤと、該搬送コンベヤの搬送路と平行に配設された少なくとも２組の循環走行機構と、それらの各循環走行機構に設けられ、前記搬送コンベヤにより搬送される物品の前面に係合して該物品を各々の循環走行機構の走行速度に規制する複数個の係合部材と、前記各循環走行機構をそれぞれ独立して駆動する速度制御可能な駆動手段と、それらの駆動手段を制御する速度制御手段と、前記係合部材により規制された物品を取出し位置において取出す取出し手段とを備え、前記速度制御手段によりそれぞれの駆動手段を、当該循環走行機構の走行速度が、他方の循環走行機構に設けられた係合部材が物品に係合するまでは、前記搬送コンベヤの搬送速度以下の第１規制速度になるように制御し、他方の係合部材が物品に係合した後は、下流側の取出し位置まで、前記第１規制速度より速く、かつ前記搬送コンベヤの搬送速度以下の第２規制速度になるように制御するとともに、その取出し位置において所定時間停止するように制御し、その停止中に前記取出し手段を介して物品を搬送コンベヤから取出すことを特徴とする物品取出し装置。
【発明の詳細な説明】
【０００１】
【発明の属する技術分野】
本発明は、搬送コンベヤ上を所定列数で連続的に搬送される容器などの物品を所定の取出し位置において所定数にグルーピングして搬送コンベヤから取出すための物品の取出し技術に関する。
【０００２】
【従来の技術】
搬送コンベヤ上を所定列数で連続的に搬送される物品を、その搬送過程で所定の個数毎のグループにグルーピングして下流側に供給するための手段として、搬送コンベヤの搬送速度より遅い速度で走行するチェーンに物品の前面に係合する係合部材を設け、その係合部材によって物品の搬送速度を規制することにより、所定個数単位にグルーピングする従来方法が知られている。さらに、その従来方法の改良型として、搬送速度規制用の手段としてそれぞれ独立して駆動可能な２組のチェーンを使用し、各々のチェーンに設けられた係合部材相互間の間隔を調整することにより、グルーピングする単位個数を変えられるように構成した物品の供給装置が開示されている（実公平７−１８６５３号公報）。他方、互いに独立して走行可能に構成された２組の搬送手段を１列の搬送路として組込み、それらの２組の搬送手段を用いて物品を相互に独立して搬送することにより、一方の搬送手段において物品の取出し動作を実行している間、他方の搬送手段においては物品の受入れ動作を継続することにより、物品の受入れを間断なく継続し得るように構成した物品搬送取出し装置が開示されている（特開平５−２７８８４０号公報）。
【０００３】
ところで、前者の物品供給装置は、所定の個数単位にグルーピングできるものの、前記係合部材から開放された物品は搬送コンベヤの搬送速度で搬送されるため、その搬送コンベヤから物品を取出すためには、取出し手段側を前記搬送速度に同期させるか、あるいは物品を取出し位置で停止させるための停止手段を新たに設置する必要があった。
【０００４】
また、後者の物品搬送取出し装置は、一方の搬送手段において物品の取出し動作を実行している間、他方の搬送手段においては物品の受入れ動作を継続することにより、物品の受入れを間断なく継続しながら、同時に物品の取出しが可能である点で優れているものの、その構造がきわめて複雑であるだけでなく、物品の受入れ動作が介在する方式を採用したものであるため、搬送コンベヤ上を連続的に搬送される物品を、そのまま搬送経路中においてグルーピングする方式に直ちに転用することはできなかった。さらに、この物品搬送取出し装置においては、グループの単位個数を変えたい場合に簡単には対応できない点も大きな欠点であった。
【０００５】
【発明が解決しようとする課題】
本発明は、以上のような従来の事情に鑑みてなされたもので、搬送コンベヤにより連続的に搬送される物品を、その搬送経路中において、任意の個数単位でグルーピングが可能であるとともに、新たな機構を追加することなく、そのグルーピングされた物品を所定の取出し位置において停止した状態で取出しが可能な物品取出し技術を提供することを目的とするものである。
【０００６】
【課題を解決するための手段】
本発明は、前記課題を解決するため、物品を連続的に搬送する搬送コンベヤと、該搬送コンベヤの搬送路と平行に配設された少なくとも２組の循環走行機構と、それらの各循環走行機構に設けられ、前記搬送コンベヤにより搬送される物品の前面に係合して該物品を各々の循環走行機構の走行速度に規制する複数個の係合部材と、前記各循環走行機構をそれぞれ独立して駆動する速度制御可能な駆動手段と、前記係合部材により規制された物品を取出し位置において取出す取出し手段とを備え、各々の循環走行機構を駆動する前記駆動手段の速度制御を介して、一方の循環走行機構に設けられた前記係合部材により、他方の循環走行機構に設けられた係合部材が物品に係合するまでは、前記物品の搬送速度を前記搬送コンベヤの搬送速度以下の第１規制速度に規制し、他方の係合部材が物品に係合した後は、前記第１規制速度より速く、かつ前記搬送コンベヤの搬送速度以下の第２規制速度にて下流側の取出し位置まで規制するとともに、その取出し位置で所定時間停止させ、その間に前記取出し手段を介して物品を搬送コンベヤから取出すという技術手段を採用した。
【０００７】
【発明の実施の形態】
本発明に係る物品取出し方法及び装置は、搬送コンベヤ上を連続的に搬送される容器などの物品を所定個数からなるグループ毎に取出して箱詰するケーサなどに好適である。搬送コンベヤとしては、その搬送面と物品との間で相対的に摺動可能なタイプの搬送手段であれば広く適用が可能である。また、前記循環走行機構は、スプロケットに支持されて循環走行するチェーンなど、搬送コンベヤの搬送路に沿って平行に走行し得るものであればよい。この循環走行機構は、少なくとも２組設置される。この場合、搬送コンベヤを挟んで両側にそれぞれ対をなす形の循環走行機構を少なくとも２組配設するのが一般的ではあるが、搬送コンベヤの例えば中央下部にそれぞれ１本からなる循環走行機構を２組以上配設する形態も可能である。なお、各循環走行機構は各々制御可能な駆動手段に連結され、それぞれ独立して速度制御される。
【０００８】
前記各循環走行機構の速度制御は次のように実行される。すなわち、いずれか一方の循環走行機構に付設された係合部材が搬送コンベヤ上の物品に係合した状態から説明すると、他方の循環走行機構に付設された係合部材が搬送コンベヤ上の物品に係合するまでは、その循環走行機構の走行速度を当該駆動手段の速度制御を介して搬送コンベヤの搬送速度以下の第１規制速度に制御する。これによって、物品の搬送速度は第１規制速度に減速される。また、他方の循環走行機構は、係合部材相互間にグルーピングの単位個数に対応した所定の間隔が形成されるように制御される。すなわち、前記第１規制速度との関係において、目標の単位個数の物品が通過したタイミングで、他方の係合部材が搬送コンベヤ上の物品に係合し得るように制御される。したがって、新たな機構は何ら追加することなく、前記駆動手段の速度制御を介して循環走行機構相互間の相対的な間隔を調整することにより、グループの単位個数をきわめて簡便に変えることができる。
【０００９】
しかして、前記他方の循環走行機構に付設された係合部材が搬送コンベヤ上の物品に係合した後は、前記一方の循環走行機構は、前記取出し位置まで、当該駆動手段の速度制御を介して、前記第１規制速度より速く、かつ前記搬送コンベヤの搬送速度以下の第２規制速度に制御される。これにより、前記他方の循環走行機構に付設された係合部材より下流側の物品は、第２規制速度に増速される結果、後方の物品との間に間隔が形成されグルーピングが行われる。そして、その先方の係合部材が取出し位置に到達した時点で所定時間停止され、その停止中に取出し動作が行われることになる。なお、この第２規制速度は、必ずしも常に一定速度である必要はなく、徐々に増速し、しかる後、徐々に減速して停止するように制御してもよい。要はグルーピングが可能で、かつ取出し動作に必要な停止時間がとれればよい。なお、取出し手段としては、上方から物品を取出すタイプのものでも、搬送コンベヤの搬送方向に対して直角方向に押出すタイプのものでもよい。
【００１０】
以上のように、本発明の特徴は、搬送コンベヤの搬送面上で動作する前記係合部材相互間の相対的な関係を制御することにより、グループの単位個数を設定し得るとともに、グルーピングのための間隔を形成し、更に停止状態における物品の取出しを可能にした点にある。すなわち、後方の係合部材が搬送コンベヤ上の物品に係合した時点における先方の係合部材との相対的な間隔によりグループの単位個数を設定し、しかる後、先方の係合部材の移動速度を増速することにより両係合部材間の間隔を拡げてグルーピングのための間隔を形成し、更に取出し位置において先方の係合部材を所定時間停止することにより停止状態における物品の取出しを可能にするという、一連の各動作を、全て係合部材相互間の相対的な関係制御のみにより実現したところに本発明の特徴がある。
【００１１】
【実施例】
以下、図面を用いて本発明の実施例に関して説明する。図１は本発明の一実施例の要部を示した概略平面図、図２はその拡大Ａ−Ａ断面図である。図中、１は搬送コンベヤ、２はその搬送コンベヤ１により搬送される容器などの物品で、本実施例では３列で搬送されるように構成されている。搬送コンベヤ１の両側には、スプロケット３，４間を循環走行するように構成されたチェーンなどからなる適宜の循環走行手段５とスプロケット６，７間を循環走行するように構成されたチェーンなどからなる適宜の循環走行手段８との対により構成される第１の循環走行機構と、スプロケット９，１０間を循環走行するように構成されたチェーンなどからなる適宜の循環走行手段１１とスプロケット１２，１３間を循環走行するように構成されたチェーンなどからなる適宜の循環走行手段１４との対により構成される第２の循環走行機構が配設されている。
【００１２】
前記第１の循環走行機構を構成する各循環走行手段５，８間には、図２に示すように、各物品２に対して前面で係合する一対ずつの係合部材１５を３列分備えた走行支持板１６が２組架設されている。同様に、前記第２の循環走行機構を構成する各循環走行手段１１，１４間にも、各物品２に対して前面で係合する一対ずつの係合部材１７を３列分備えた走行支持板１８が２組架設されている。すなわち、前記実施例の要部を機能的に示した図３の機能概念図に示したように、第１及び第２の循環走行機構には、それぞれ互いに反対側に設置された係合部材１５ａと１５ｂあるいは係合部材１７ａと１７ｂからなる２組の係合手段が備えられ、後述のようにその間の関連動作に基づいて所定の作用を奏するように構成されている。
【００１３】
なお、図２に示すように、前記スプロケット４，７は駆動軸１９に回転可能に支持されるとともに、それぞれスプロケット４，７に付設されたギヤ部分２０，２１が駆動軸２２に固定された中間ギヤ２３，２４と噛合い状態にあり、前記駆動軸２２に固着された駆動ギヤ２５を介して図示しない電動モータ等の速度制御可能な第１駆動手段に連結されている。これにより、前記第１循環走行機構を構成する一対の循環走行手段５，８を第１駆動手段により駆動して、前記係合部材１５ａ，１５ｂを搬送コンベヤ１と同方向に所定速度で走行させることが可能になる。他方、前記スプロケット１０，１３は駆動軸１９に固定され、その駆動軸１９に固着された駆動ギヤ２６を介して図示しない電動モータ等の速度制御可能な第２駆動手段に連結されている。これにより、同様に前記第２循環走行機構を構成する一対の循環走行手段１１，１４を第２駆動手段により駆動して、前記係合部材１７ａ，１７ｂを搬送コンベヤ１と同方向に所定速度で走行させることが可能になる。
【００１４】
次に、図４〜図１４の動作説明図に従って、本実施例の動作の仕方に関して説明する。図４の状態を説明すると、前記第１循環走行機構に付設された係合部材１５ａが物品２の前面に係合し、その物品２を搬送コンベヤ１の搬送速度Ｖｃ以下の前記第１規制速度Ｖ1に減速した状態で、丁度グルーピングの単位個数の８個分、前方に移動し、同時に８番目と９番目の物品相互間に第２循環走行機構に付設された係合部材１７ａが挿入され、その係合部材１７ａが丁度、９番目の物品２の前面に係合した状態を示したものである。この場合、前述のように、前記係合部材１７ａの挿入されるタイミングを制御して、係合部材１５ａと１７ａとの相対的な間隔を調整すれば、グループの単位個数をきわめて簡便に増減することが可能である。
【００１５】
以上のように、係合部材１７ａが物品間に挿入され、後方グループの先頭物品２の前面に係合された後は、その係合部材１７ａはそのまま前記第１規制速度Ｖ1を維持するが、先方の係合部材１５ａは前記第１規制速度Ｖ1より速く、かつ搬送コンベヤ１の搬送速度Ｖｃ以下の第２規制速度Ｖ2に増速される。そして、所定時間、例えば一例として0.6秒程度が経過すると図５の状態に移行し、先方の係合部材１５ａに規制されるグループの最後部の物品２と後方の係合部材１７ａに規制されるグループの先頭の物品２との間には間隔Ｓ1が形成され、これによりグルーピングが行われる。図６は更に同様の動作条件で所定時間が経過した状態を示したもので、グルーピングが更に進み、前記グループ間の物品２相互間の間隔がＳ2に拡大した状態を示したものである。
【００１６】
図７は図６の状態から同様の動作条件で更に所定期間が経過した状態を示したもので、この状態では、前記グループ間の間隔が更にＳ3に拡大されると同時に、先方の係合部材１５ａが取出し手段２７の真下の取出し位置に到達する。こうして、係合部材１５ａが取出し位置に到達した時点では、前記第１駆動手段を停止させ、係合部材１５ａを所定時間、取出し手段２７の直下で停止させることになる。
【００１７】
図８及び図９は更に所定時間ずつ経過した状態を示したもので、図８に示したように、先ず前記取出し手段２７を下降させて、その各把持部２８により物品２を把持し、しかる後、図９のように取出し手段２７を上昇させ、さらに図示しない所定の場所に移送することにより取出し動作が実行される。この間、係合部材１５ａは停止状態を保持するとともに、他方の係合部材１７ａは、前記第１規制速度Ｖ1のままの動作を継続する。したがって、前記グループ間の間隔Ｓはその間に徐々に縮小される。なお、前述の図７における間隔Ｓ3としては、以上の取出し動作時間に見合った間隔を確保しておく必要がある。
【００１８】
しかして、以上の取出し動作が終了した場合には、図１０に示したように、前記第１駆動手段を介して係合部材１５ａの前進を再開する。この間も他方の第２駆動手段による係合部材１７ａの動作は前記第１規制速度Ｖ1による前進動作を継続する。さらに、係合部材１７ａは、そのまま第１規制速度Ｖ1による前進動作を継続して、所定時間が経過する毎に図１１の状態、さらに説明当初の図４の状態に相当する図１２の状態に至る。この間に、前記係合部材１５ａの方は、次に物品２相互間に挿入する係合部材１５ｂがグループの単位個数に適合したタイミングで挿入できるように、前記第１駆動手段を制御することになる。
【００１９】
以上のようにして、図１２の状態、すなわち当初の図４の状態に相当する動作状態に復帰した後は、新たに先方の係合部材となった係合部材１７ａと後方の係合部材１５ｂとの間で、前述と同様の制御が行われ、更に引続いて係合部材１５ｂと１７ｂの間、係合部材１７ｂと１５ａとの間で同様の制御を繰返して、物品２のグルーピング動作を繰返しながら、同時にその間、間断なく取出し作業が継続されることになる。この場合、第１循環走行機構に付設された係合部材１５ａ，ｂと第２循環走行機構に付設された係合部材１７ａ，ｂとの前後関係は一連の動作毎に変るため、それに応じて第１駆動手段に対する制御パターンと第２駆動手段に対する制御パターンが交互に入れ替ることはいうまでもない。
【００２０】
【発明の効果】
本発明によれば、搬送コンベヤにより連続して搬送される物品を所定の単位個数にグルーピングし、そのグルーピングされた物品を停止させた状態において搬送コンベヤから取出すことができ、より安定した取出し動作が容易に得られるとともに、同時にそのグルーピングの単位個数を簡便に変更できるという機能を合せ持ち、しかもそれらの機能を実現するための一連のグルーピング及び停止動作を前記各循環走行機構を駆動するそれぞれの駆動手段に対する速度制御のみを介して簡便に実行できるという優れた効果を得ることができる。
【図面の簡単な説明】
【図１】本発明の実施例の要部を示した概略平面図である。
【図２】同実施例の概略Ａ−Ａ断面図である。
【図３】同実施例の要部を機能的に示した機能概念図である。
【図４】同実施例の動作説明図である。
【図５】同実施例の動作説明図である。
【図６】同実施例の動作説明図である。
【図７】同実施例の動作説明図である。
【図８】同実施例の動作説明図である。
【図９】同実施例の動作説明図である。
【図１０】同実施例の動作説明図である。
【図１１】同実施例の動作説明図である。
【図１２】同実施例の動作説明図である。
【符号の説明】
１…搬送コンベヤ、２…物品、３，４…スプロケット、５…循環走行手段、６，７…スプロケット、８…循環走行手段、９，１０…スプロケット、１１…循環走行手段、１２，１３…スプロケット、１４…循環走行手段、１５…係合部材、１６…走行支持板、１７…係合部材、１８…走行支持板、１９…駆動軸、２０，２１…ギヤ部分、２２…駆動軸、２３，２４…中間ギヤ、２５，２６…駆動ギヤ、２７…取出し手段、２８…把持部
【図１】
0003540893.tif 000002
【図２】
0003540893.tif 000003
【図３】
0003540893.tif 000004
【図４】
0003540893.tif 000005
【図５】
0003540893.tif 000006
【図６】
0003540893.tif 000007
【図７】
0003540893.tif 000008
【図８】
0003540893.tif 000009
【図９】
0003540893.tif 000010
【図１０】
0003540893.tif 000011
【図１１】
0003540893.tif 000012
【図１２】
0003540893.tif 000013